(57)【要約】【課題】陳列棚のスクリーンに表示される情報表示画像を容易に作成・編集できるようにする。【解決手段】棚板５１１，５１２，５１３と、情報表示画像が表示される透過型のスクリーン５２１，５２２，５２３、５３２，５３３と、プロジェクタ６００と、を備える陳列棚５００における表示画像データを作成する画像表示制御装置において、表示画像データの領域を画定し情報表示画像が割り付け可能である編集背景画像を格納する編集背景画像格納部１３１と、情報表示画像の表示内容を作成する情報表示画像作成部１３２と、前記情報表示画像の編集背景領域での配置位置を設定する情報表示画像位置設定部１３３と、情報表示画像を背景画像内の設定位置に配置した表示画像を作成して出力するプロジェクタ画像作成部１３４と、編集背景画像及び情報表示画像を表示するモニタ部１１０と、データを入力する入力部１２０とを備える。【選択図】図３
2008173452.tif 000002
【特許請求の範囲】
【請求項１】
品物を載置可能な載置台と、前記載置台に隣接して配置され、裏面側からプロジェクタ画像が投影され、表面に情報表示画像が表示される透過型のスクリーンと、入力された前記プロジェクタ画像を投影するプロジェクタと、を備える陳列棚における前記プロジェクタ画像の画像データを作成する画像表示制御装置において、
前記プロジェクタ画像に含まれる前記透過型スクリーンに表示する情報表示画像の表示領域が設定された編集背景画像を格納する編集背景画像格納部と、
入力されたデータに基づいて前記情報表示画像の表示内容を作成する情報表示画像作成部と、
入力されたデータに基づいて前記編集背景画像に設定された前記情報表示画像の表示領域に対して、前記情報表示画像作成部で作成された情報表示画像の配置位置を設定する情報表示画像位置設定部と、
前記情報表示画像位置設定部で配置位置が設定された前記情報表示画像に基づいてプロジェクタ画像を作成するプロジェクタ画像作成部と、
前記編集背景画像、前記情報表示画像を表示するモニタ部と、
前記データを入力する入力部と、
を備えることを特徴とする陳列棚の画像表示制御装置。
【請求項２】
前記プロジェクタ画像作成部は、前記情報表示画像位置設定部で配置位置が設定された前記情報表示画像を、前記プロジェクタ画像の情報表示画像の表示領域に、前記情報表示画像位置設定部で設定された配置位置で設定しプロジェクタ画像を作成することを特徴とする請求項１記載の陳列棚の画像表示制御装置。
【請求項３】
前記情報表示画像は複数の単位表示画像から構成され、
前記情報表示画像位置設定部は、前記編集背景画像に設定された前記情報表示画像の表示領域に対して、前記単位表示画像の配置位置を設定することを特徴とする請求項１記載の画像表示装置。
【請求項４】
前記編集背景画像格納部が格納する編集背景画像は、前記商品棚の正面外観図に対応する画像であることを特徴とする請求項１又は２記載の陳列棚の画像表示制御装置。
【請求項５】
前記情報表示画像作成部は、商品情報、商品価格を含む商品情報データベースに接続されており、
前記情報表示画像は、前記商品情報、前記商品価格を含む商品についての情報が含まれ、前記商品情報及び商品価格の少なくとも１つは、前記商品データベースに格納された情報に基づいて作成されることを特徴とする請求項１乃至４のいずれか記載の陳列棚の画像表示制御装置。
【請求項６】
情報表示画像を格納したひな形画像を複数備えた情報表示画像データベースを備え、
前記モニタ部には前記画像データベースが格納しているひな形画像中の所定数のひな形画像を表示可能とし、
前記情報表示画像作成部は、この表示されたひな形画像から選択されたひな形の画像に基づいて情報表示画像を作成することを特徴とする請求項１乃至５のいずれか記載の陳列棚の画像表示制御装置。
【発明の詳細な説明】
【技術分野】
【０００１】
本発明は、画像表示制御装置に係り、特に品物を載置される載置台に設けられた透過型スクリーンを備え、プロジェクタによりスクリーンにＰＯＰ広告等の情報表示画像を投影することができる棚装置のプロジェクタが投影する画像データを容易に作成することができる画像表示制御装置に関する。
【背景技術】
【０００２】
品物を陳列する陳列棚は、代表的には小売業の店舗、例えばスーパーマーケットやコンビニエンスストア、ホームセンター、デパート内の各種商品の売場等で広く用いられている。小売業の店舗では、陳列棚に商品を陳列し、陳列する商品に対応付けて棚札が付けられる。棚札は、対応付けられる商品の価格やその他の情報を顧客に示すことを目的としている。このような棚札として、近年、電子棚札が開発されている（特許文献１参照）。電子棚札は、例えば液晶パネルや有機ＥＬパネル等によって形成されている（例えば、特許文献１の段落０００８参照）。
【０００３】
小売業の店舗で用いられる陳列棚は、商品を陳列し、棚札や電子棚札を用いて陳列した商品の価格やその他の情報を示すことを主要な用途としている。これに対して、陳列棚に陳列した商品を顧客に注目させ、より多くの購買に繋げるようにする手法として、ＰＯＰ広告（Point of Purchase）という手法が従来から広く用いられている。特許文献２には、ショーケースの天壁にプロジェクタとこのプロジェクタからの投影画像を透過投影するスクリーンとを設けたショーケースが開示されている。このような技術を採用することで、通常は紙などの記録媒体に印刷されたＰＯＰ広告の取り付け作業を行うことなく、スクリーンに透過投影するプロジェクタ画像によって、ショーケースに陳列された商品の展示効果を促進することができるようにしている（特許文献２の段落００１８参照）。
【０００４】
【特許文献１】特開２００５−０９９８８８公報
【特許文献２】特開２００１−２４５７５６公報
【発明の開示】
【発明が解決しようとする課題】
【０００５】
特許文献１に示されている電子棚札は、情報表示領域を広くとるために、複数の薄型表示装置を横に連結して横長に形成することが開示されているが（図８参照）、この場合には、どうしても薄型表示装置同士の間に継ぎ目が生じてしまう。このため、継ぎ目の部分では、自然で綺麗な表示をすることができない。
【０００６】
また、電子棚札では情報表示領域を広くとることができないという事情から、そこに表示できる情報は、対応する商品の価格とその他の僅かな情報に留まる。このため、ＰＯＰ広告のような機能を電子棚札に持たせることは困難である。
【０００７】
陳列棚は、通常複数段の載置台を備え、各載置台にそれぞれ商品が載置される。従って、特許文献２に示されるように、陳列棚の天壁にプロジェクタとこのプロジェクタからの投影画像を透過投影するスクリーンとを設けた場合、各載置台とスクリーンが離れているので、各載置台に載置した商品に対する各棚札を天壁に設けたスクリーンに一覧表示しても、商品と棚札の対応関係が非常に分かり難くなってしまう。
【０００８】
本発明の目的は、陳列棚に設けられたスクリーンにプロジェクタで投影されて表示される情報表示画像を、容易に作成・編集することができるようにすると共に、作製・編集した情報表示画像をスクリーンの所望する場所に容易に表示できる陳列棚の画像表示制御装置を提供することである。
【課題を解決するための手段】
【０００９】
本発明において、前記課題を解決するための手段は、品物を載置可能な載置台と、前記載置台に隣接して配置され、裏面側からプロジェクタ画像が投影され、表面に情報表示画像が表示される透過型のスクリーンと、入力された前記プロジェクタ画像を投影するプロジェクタと、を備える陳列棚における前記プロジェクタ画像の画像データを作成する画像表示制御装置において、前記プロジェクタ画像に含まれる前記透過型スクリーンに表示する情報表示画像の表示領域が設定された編集背景画像を格納する編集背景画像格納部と、入力されたデータに基づいて前記情報表示画像の表示内容を作成する情報表示画像作成部と、入力されたデータに基づいて前記編集背景画像に設定された前記情報表示画像の表示領域に対して、前記情報表示画像作成部で作成された情報表示画像の配置位置を設定する情報表示画像位置設定部と、前記情報表示画像位置設定部で配置位置が設定された前記情報表示画像に基づいてプロジェクタ画像を作成するプロジェクタ画像作成部と、前記編集背景画像、前記情報表示画像を表示するモニタ部と、前記データを入力する入力部と、を備えることを特徴とする。
【発明の効果】
【００１０】
本発明によれば、陳列棚に設けられた複数のスクリーンにプロジェクタで投影されて表示される情報表示画像を、容易に作成・編集することができ、また、作製・編集した情報表示画像を複数のスクリーンの所望する場所に容易に表示できる。
【発明を実施するための最良の形態】
【００１１】
以下実施の形態例に係る陳列棚の画像表示制御装置について説明する。まず陳列棚について説明する。図１は実施例に係る陳列棚を画像表示制御装置と共に示す陳列棚の概略断面図、図２は図１中のＡ−Ａ線に相当する陳列棚の断面図である。本例は、スーパーマーケットへの適用に適した陳列棚５００を示す。この例において、陳列棚５００には、内部にプロジェクタ６００が配置されていると共に、バックヤードに配置される画像表示制御装置１００が無線で接続されている。なお、画像表示制御装置１００は、コンピュータで構成されている。店舗に複数の陳列棚が配置されている場合には、各陳列棚には通信装置を配置し、１台の画像表示制御装置１００で作成した表示画像を各陳列棚のプロジェクタに配信して、各プロジェクタは、各通信装置に配信された画像データに基づいて陳列棚に必要な画像を表示する。
【００１２】
陳列棚５００は床面１０に配置されてなり、陳列棚５００内にはプロジェクタ６００が配置されている。陳列棚５００は、下部前板５０１と、底板５０２と、背板５０３と天板５０４とを備えており、これらの部材は、図２に示すように、２枚の側板５０５，５０６に挟まれるように配置されている。
【００１３】
陳列棚５００には、３段の陳列台が配置されている。すなわち、下部前板５０１の上側には、最下段の載置台をなす棚板５１１が配置され、順次上方に向け第２段の載置台をなす棚板５１２、第３段の載置台をなす棚板５１３が配置されている。これらの各棚板５１１，５１２，５１３は前記側板５０５，５０６に挟まれて水平となるように固定されている。
【００１４】
また、各陳列台に対応して各棚板５１１，５１２，５１３の上方には、スクリーン５２１，５２２，５２３が配置されている。また、上部に位置する２つの棚板５１２，５１３の背部にもスクリーン５３２，５３３が配置されている。各スクリーン５２１，５２２，５２３、５３２，５３３は例えば乳白色のアクリル板で形成され、背後から投影された像を前面から視認できる透過型のものである。スクリーン５２１は棚板５１２の前端から下方に向け所定角度をもって配置され、スクリーン５２２は棚板５１３の前端から下方に向け所定の角度をもって配置され、スクリーン５２３は天板５０４の前端から下方に向け所定の角度をもって配置される。また、スクリーン５３２，５３３は棚板５１２，５１３の後方に棚板５１２，５１３に対して垂直に立設される。
【００１５】
ここで、スクリーン５２１，５２２は棚板５１２，５１３に固定されるほか側板５０５，５０６に固定されて配置される。さらにスクリーン５２３は天板５０４の前端に固定されるほか側板５０５，５０６に固定されて配置される。
【００１６】
また、棚板５１１の奥側端部には、棚板５１１で構成される陳列棚の奥行きを規定する奥板５３１立設配置されている。
【００１７】
また、奥板５３１、スクリーン５３２，５３３の最上部からは、各棚板５１１，５１２，５１３の設置方向に沿って陳列台の天井部をなす天井板５４１，５４２，５４３が配置されている。この例では、天井板５４１，５４２は、棚板５１１，５１２に平行に配置され、天井板５４３は、スクリーン５２３へ投影されるプロジェクタ画像を遮らないように所定の傾きを形成して配置されている。各天井板５４１，５４２，５４３は、その前端を前記スクリーン５２１，５２２，５２３の下端に接続されている。
【００１８】
そして、スクリーン５２１、天井板５４１、棚板５１２に囲まれる領域にはスクリーン５２１に投影されるプロジェクタ画像が水平方向に投影される段部画像投影空間５６１が形成される。
【００１９】
同様に、スクリーン５２２、天井板５４２、棚板５１３に囲まれる領域には、段部画像投影空間５６２が形成され、スクリーン５２３、天井板５４３、天板５０４に囲まれる領域には、段部画像投影空間５６３が形成される。
【００２０】
このように天井板５４１，５４２，５４３を設けることにより、段部画像投影空間５６１，５６２，５６３の下部は覆われ、棚板５１１，５１２，５１３に配置される商品が段部画像投影空間５６１，５６２，５６３内に入り込むのが防止され、商品によりプロジェクタ投影像に影ができるのを防止できる。
【００２１】
また、陳列棚５００の下部前板５０１と背板５０３の間には、プロジェクタ６００の配置空間５６４が形成されるほか、奥板５３１、スクリーン５３２，５３３と背板５０３の間にはプロジェクタ画像の奥側画像投影空間５６５が形成される。
【００２２】
配置空間５６４にはプロジェクタ６００が配置されている。プロジェクタ６００は底板５０２上に配置されたプロジェクタ設置部としてのプロジェクタ設置台５７０に設置される。このプロジェクタ設置台５７０はプロジェクタ６００の光学軸が鉛直線に対して所定の角度だけ傾くように配置するものであり、所定の設置部５７１を形成して構成されている。このように、プロジェクタ６００を傾斜させて配置することにより、プロジェクタの配置に必要な領域を小さいものとすることができる。
【００２３】
奥側画像投影空間５６５には、前記スクリーン５２１，５２２，５２３、及びスクリーン５３２，５３３からなる５枚のスクリーンに前記プロジェクタ６００からの投影光を反射する反射装置としての平面鏡５５１、５５２，５５３が配置されている。この平面鏡５５１、５５２，５５３は、図２に示すように、側板５０５，５０６に両端を固定されて配置されるものである。
【００２４】
次にプロジェクタ６００と平面鏡５５１、５５２，５５３と、スクリーン５２１，５２２，５２３、及び、スクリーン５３２，５３３との位置関係について説明する。
【００２５】
陳列棚５００において、配置されるプロジェクタは１台であり、プロジェクタ６００からはプロジェクタ６００内部に配置された液晶表示装置等に表示される１画面で構成されるプロジェクタ画像がスクリーン５２１，５２２，５２３、及び、スクリーン５３２，５３３に向け投影される。この１画面のプロジェクタ画像は、平面鏡５５１で、スクリーン５２１に、平面鏡５５２で、スクリーン５２２，５３２に、平面鏡５５３でスクリーン５２３，５３３に分割されて投影される。
【００２６】
本例では、プロジェクタ６００の液晶表示装置に表示されるプロジェクタ画像の投影光がスクリーン５２１，５２２，５２３に合焦した像を結像するように位置が決定される。なお、スクリーン５３２，５３３には正確に合焦した像は結像されないが、プロジェクタ６００の焦点深度の範囲内に配置されていれば視認可能な像として表示することができる。
【００２７】
前記画像表示制御装置１００で作成されるプロジェクタ画像は、プロジェクタ６００の液晶表示装置に表示される。このプロジェクタ画像には、このプロジェクタ画像を陳列棚に投影した時に、陳列棚５００のスクリーン５２３の外形枠と同じ外形枠を有する帯状の表示領域が設定されている。さらに、この帯状の表示領域の設定位置は、このプロジェクタ画像を陳列棚に投影した時に、この表示領域の外形枠がスクリーン５２３の外形枠と一致するように予め設定されている。
【００２８】
このプロジェクタ画像には、このプロジェクタ画像を陳列棚に投影した時に、陳列棚５００のスクリーン５３３の外形枠と同じ外形枠を有する帯状の表示領域が設定されている。さらに、この帯状の表示領域の設定位置は、このプロジェクタ画像を陳列棚に投影した時に、この表示領域の外形枠がスクリーン５３３の外形枠と一致するように予め設定されている。このプロジェクタ画像には、このプロジェクタ画像を陳列棚に投影した時に、陳列棚５００のスクリーン５２２の外形枠と同じ外形枠を有する帯状の表示領域が設定されている。
【００２９】
さらに、この帯状の表示領域の設定位置は、このプロジェクタ画像を陳列棚に投影した時に、この表示領域の外形枠がスクリーン５２２の外形枠と一致するように予め設定されている。
【００３０】
このプロジェクタ画像には、このプロジェクタ画像を陳列棚に投影した時に、陳列棚５００のスクリーン５３２の外形枠と同じ外形枠を有する帯状の表示領域が設定されている。さらに、この帯状の表示領域の設定位置は、このプロジェクタ画像を陳列棚に投影した時に、この表示領域の外形枠がスクリーン５３２の外形枠と一致するように予め設定されている。
【００３１】
このプロジェクタ画像には、このプロジェクタ画像を陳列棚に投影した時に、陳列棚５００のスクリーン５２１の外形枠と同じ外形枠を有する帯状の表示領域が設定されている。さらに、この帯状の表示領域の設定位置は、このプロジェクタ画像を陳列棚に投影した時に、この表示領域の外形枠がスクリーン５２１の外形枠と一致するように予め設定されている。
【００３２】
そして、陳列棚５００の各スクリーン５２１，５２２，５２３，５３２，５３３には、プロジェクタ画像の各表示領域に設定された情報表示画像が対応する各スクリーンにそれぞれ投影される。
【００３３】
次に画像表示制御装置１００について説明する。画像表示制御装置１００は、図１に示すように、モニタ部１１０と、入力部１２０と、表示制御部１３０と、通信装置１３５と、表示コンテンツデータベース１５０とを備えて構成されている。また、画像表示制御装置１００は外部ネットワーク８００と接続されている。これらの構成により、画像表示制御装置１００は、前記プロジェクタ６００が表示すべき１画面からなるプロジェクタ画像の画像データを作成する。本例では、モニタ部１１０に編集背景画像３００（図６参照）を表示する。
【００３４】
この編集背景画像３００には、プロジェクタ６００の液晶表示装置に表示されるプロジェクタ画像に予め設定されている、陳列棚５００のスクリーン５２３に対応する帯状の表示領域が、帯状の表示領域３１０として予め設定されている。この編集背景画像３００には、プロジェクタ６００の液晶表示装置に表示されるプロジェクタ画像に予め設定されている、陳列棚５００のスクリーン５３３に対応する帯状の表示領域が、帯状の表示領域３２０として予め設定されている。
【００３５】
この編集背景画像３００には、プロジェクタ６００の液晶表示装置に表示されるプロジェクタ画像に予め設定されている、陳列棚５００のスクリーン５２２に対応する帯状の表示領域が、帯状の表示領域３３０として予め設定されている。この編集背景画像３００には、プロジェクタ６００の液晶表示装置に表示されるプロジェクタ画像に予め設定されている、陳列棚５００のスクリーン５３２に対応する帯状の表示領域が、帯状の表示領域３４０として予め設定されている。
【００３６】
この編集背景画像３００には、プロジェクタ６００の液晶表示装置に表示されるプロジェクタ画像に予め設定されている、陳列棚５００のスクリーン５２１に対応する帯状の表示領域が、帯状の表示領域３５０として設定されている。さらに、この編集背景画像３００は、過去に使用した編集背景画像であるので、幾つかの帯状の表示領域には、商品を表す等の情報表示画像がすでに設定されている。
【００３７】
図３は画像表示制御装置の構成を示すブロック図である。モニタ部１１０は、液晶画面等を備えるディスプレイで構成され、前記表示制御部１３０に制御されて編集背景画像を表示する。
【００３８】
入力部１２０は、キーボード１２１と、マウス等のポインティングデバイス１２２とで構成されている。
【００３９】
表示制御部１３０は、前記情報表示画像を編集するための編集背景画像の画像データを格納する編集背景画像格納部１３１と、表示コンテンツデータベース１５０からのひな形画像や、入力部１２０から入力された画像及び数値等に基づいて情報表示画像を作成する情報表示画像作成部１３２と、入力されたデータに基づいて前記編集背景画像に設定されている情報表示領域における配置位置を設定する情報表示画像位置設定部１３３と、情報表示画像位置設定部で設定された情報表示画像を、前記プロジェクタ画像の情報表示画像の表示領域に、前記情報表示画像位置設定部で設定された配置位置に設定してプロジェクタ画像を作成するプロジェクタ画像作成部１３４とで構成されている。
【００４０】
本例では、通信装置１３５は、前記陳列棚５００のプロジェクタ６００に無線接続されている。このため、プロジェクタ６００には、受信装置と画像保持用の記憶手段が配置されている。
【００４１】
表示コンテンツデータベース１５０は、情報表示画像データベースとして、情報表示画像のひな形、過去に使用した情報表示画像がコンテンツとして格納されており、これらのコンテンツは、入力部１２０からの操作により表示制御部１３０の情報表示画像作成部１３２から参照することができる。なお、表示コンテンツデータベース１５０に編集背景画像のひな形を格納しておくことができ、この場合表示コンテンツデータベース１５０は、編集背景画像格納部１３１としての機能をもなす。
【００４２】
さらに本例では、画像表示制御装置１００には、店舗のＰＯＳシステム７００に配置された商品情報データベース７１０が接続されている。商品情報データベース７１０には、陳列される商品についての商品情報、単価などの情報の他、値引き対象となる商品については値引き情報等が格納されており、ＰＯＳシステム７００により、常に最新の状態に更新されている。本例では、画像表示制御装置１００は、情報表示画像を作製するにあたり、商品情報データベース７１０を参照することにより商品について最新の情報を得ることができる。
【００４３】
本例では、画像表示制御装置１００の表示制御部１３０はコンピュータとして構成され各機能を実現している。図４は表示制御部１３０のハードウェア構成を示すブロック図である。表示制御部１３０は、情報処理部としてのマイクロコンピュータ１４０を有している。マイクロコンピュータ１４０は、各種演算処理を実行するＣＰＵ１４１を主体に構成され、このＣＰＵ１４１にＢＩＯＳ等の固定データを固定的に記憶するＲＯＭ１４２と各種可変データを書き替え自在に記憶してワークエリアとして使用されるＲＡＭ１４３とがバスライン１４４を介して接続されて構成されている。
【００４４】
このようなマイクロコンピュータ１４０には、ＨＤＤ１４５とＣＤ−ＲＯＭドライブ１４６とが接続され、一例として、ＯＳ（オペレーティングシステム、図５参照）や各種のアプリケーションプログラムを記憶するＣＤ−ＲＯＭ１４７からＣＤ−ＲＯＭドライブ１４６が情報を読み取り、これをＨＤＤ１４５にインストールすることができるように構成されている。
【００４５】
また、前述のモニタ部１１０、キーボード１２１及びポインティングデバイス１２２であるマウスもマイクロコンピュータ１４０に接続されている。キーボード１２１及びポインティングデバイス１２２は、マイクロコンピュータ１４０に対する入力部となる。
【００４６】
さらに、マイクロコンピュータ１４０には通信装置１３５も接続されている。この通信装置１３５はプロジェクタ６００に設けられた受信装置との間の通信を可能とするプロトコルをサポートしている。
【００４７】
図５は、表示制御部の仕組みを例示する模式図である。コンピュータである表示制御部１３０は、情報表示画像の画像データを編集及び作成可能である。そのため、表示制御部１３０は、ＨＤＤ１４５にインストールされているＯＳ１６１の他アプリケーションプログラムとして、画像形成ソフトウェア１６２をインストールしている。また、この画像形成ソフトウェア１６２と共に利用される前記表示コンテンツデータベース１５０もＨＤＤ１４５にインストールされている。なお、この表示コンテンツデータベース１５０はそのデータの一部又は全部をＨＤＤ１４５の外部に配置するようにしてもよい。本例では画像形成ソフトウェア１６２は、前記表示コンテンツデータベース１５０を参照することができる。画像形成ソフトウェア１６２の一部の機能として、例えばマイクロソフト社のパワーポイント（商品名）を用いることができる。
【００４８】
このような画像形成ソフトウェア１６２によれば、モニタ部１１０上に編集背景画像３００を表示すると共に、編集背景画像３００上において、情報表示画像の画像データを編集作成することが可能であり、作成した画像データ上に文字を重畳させることも可能であり、作成した情報表示画像の編集背景画像に設定されている情報表示領域における配置位置を設定することが可能である。さらに、情報表示画像位置設定部で配置位置が設定された情報表示画像に基づいてプロジェクタ画像を作成することが可能である。
【００４９】
また、画像形成ソフトウェア１６２は、情報表示画像の画像データの編集作成に際して、表示コンテンツデータベース１５０に含まれている各種のモデル画像、ひな形を利用し、これを編集した情報表示画像上に貼り付けることができる。表示コンテンツデータベース１５０は、各種の食品等の写真データや絵柄データをモデル画像として記憶している。このように、表示コンテンツデータベース１５０は画像ライブラリーとしての役割を担う。
【００５０】
画像形成ソフトウェア１６２は、その起動時、そのプログラムコードの全部又は一部がＲＡＭ１４３にコピーされ、画像形成ソフトウェア１６２に基づく処理速度の高速化が図られる。また、このような画像形成ソフトウェア１６２のＲＡＭ１４３へのコピーに付随して、画像ライブラリーを含む表示コンテンツデータベース１５０の一部もＲＡＭ１４３にコピーされ、処理速度の高速化が図られる。そして、マイクロコンピュータ１４０は、画像形成ソフトウェア１６２によって作成した画像データを、通信装置１３５からネットワーク１３６を介してプロジェクタ６００に送信することができる。
【００５１】
図６は陳列棚の情報表示画像の作成状態を示す模式図である。本図では、（ａ）に画像表示制御装置におけるモニタ部１１０の表示の状態を、（ｂ）に陳列棚の表示状態を示している。この例では、画像表示制御装置１００で作成されたプロジェクタ画像データは、プロジェクタ６００に送信され、投影される。なお、作成したプロジェクタ画像データは、ネットワーク１３６により伝送できる他、ＣＤ、ＵＳＢメモリなどの記録メディアに格納して、プロジェクタ６００は、前記記録メディアから画像データを受け取ることができる。また、画像表示制御装置１００は複数の陳列棚５００に対して異なるプロジェクタ画像を作製することができ、この場合には、各陳列棚５００にネットワーク又は記憶メディアを介して異なるプロジェクタ画像データを配信することができる。
【００５２】
以下、プロジェクタ画像の作成方法について説明する。
【００５３】
図７は画像表示制御装置における表示画像の作成手順を示すフローチャートである。
【００５４】
まず、入力部１２０からの操作により、表示コンテンツデータベース１５０から編集背景画像３００となる画像データを取得し、モニタ部１１０に表示する（ステップＳ１）。
【００５５】
ひな形として、図６（ａ）に示した編集背景画像を使用した場合について説明する。画像表示制御装置１００のモニタ部１１０には、画像形成ソフトウェア１６２により、図６（ａ）に示した編集背景画像３００が表示される。
【００５６】
この編集背景画像３００には、プロジェクタ６００の液晶表示装置に表示されるプロジェクタ画像に予め設定されている、陳列棚５００のスクリーン５２３に対応する帯状の表示領域が、帯状の表示領域３１０として表示される。この編集背景画像３００には、プロジェクタ６００の液晶表示装置に表示されるプロジェクタ画像に予め設定されている、陳列棚５００のスクリーン５３３に対応する帯状の表示領域が、帯状の表示領域３２０として表示される。
【００５７】
この編集背景画像３００には、プロジェクタ６００の液晶表示装置に表示されるプロジェクタ画像に予め設定されている、陳列棚５００のスクリーン５２２に対応する帯状の表示領域が、帯状の表示領域３３０として表示される。この編集背景画像３００には、プロジェクタ６００の液晶表示装置に表示されるプロジェクタ画像に予め設定されている、陳列棚５００のスクリーン５３２に対応する帯状の表示領域が、帯状の表示領域３４０として表示される。この編集背景画像３００には、プロジェクタ６００の液晶表示装置に表示されるプロジェクタ画像に予め設定されている、陳列棚５００のスクリーン５２１に対応する帯状の表示領域が、帯状の表示領域３５０として表示される。
【００５８】
この編集背景画像３００は、過去に使用した編集背景画像であるので、幾つかの帯状の表示領域には、すでに設定された情報表示画像が表示される。新規の編集背景画像では、例えば、帯状の表示領域が、他の表示領域と識別できるように、その表示領域の外形枠が表示される。又は、帯状の表示領域を他の表示領域と識別できるように、その表示領域全体の表示色を識別色として表示される。
【００５９】
過去に使用した表示画像をひな形として使用すると、表示画像データの作成が容易である。また、前回使用した最終画像を使用することや、商品棚の棚配置をする棚割システムの棚割データと連動して配置幅、商品価格、商品情報などを連動させた画像を使用することができる。
【００６０】
この編集背景画像では、上から下に向かって、表示領域３１０,３２０,３３０，３４０,３５０の順番で表示させているが、この順番は任意でよい。その場合、各表示領域がどのスクリーンに対応しているか識別できるように表示する必要がある。なお、表示領域３２０と、表示領域３３０との間の領域３６０は、どのスクリーンにも対応していないため、黒色表示にしておく。そして、編集背景画像３００において、各表示領域３１０，３２０,３３０，３４０,３５０に表示された情報表示画像は、各スクリーン５２１，５２２，５２３,５３２，５３３に表示される。
【００６１】
図６（ａ）に示した編集背景画像３００では、スクリーン５２３に対応する帯状の表示領域３１０は、一まとまりとなる情報表示画像の単位表示画像が組み合わされて表示される。最左端に「黒豆小粒」についての商品情報の表示「黒豆小粒」、商品価格の表示「１４５円」、及び「黒豆粒の画像」を１グループとする単位表示画像３１１が表示され、その右隣には「テンペ、２７０円、テンペの画像」の単位表示画像３１２、「なっとう、１４５円、なっとうの画像」の単位表示画像３１３、その右隣には「ひきわり旨味、１５０円、ひきわり旨味の画像」の単位表示画像３１４、その右隣には「黒豆小粒、２００円、黒豆小粒の画像」の単位表示画像３１５、その右隣には「黒豆小粒、２５０円、黒豆小粒の画像」の単位表示画像３１６、その右隣には「黒豆小粒、３００円、黒豆小粒の画像」の単位表示画像３１７が情報表示画像として表示される。これらの各単位表示画像３１１〜３１７の間にはそれぞれの表示が区別できるよう区切り線が表示されている。
【００６２】
また、この例では、スクリーン５３３に対応する表示領域３２０には情報表示画像が表示されておらず、スクリーン５２２に対応する表示領域３３０には、最左端から最右端に向かって、「特売セール中、野菜の画像」の単位表示画像３３１、「全品１０％ＯＦＦ、果物の画像」の単位表示画像３３２、「特売セール中、野菜の画像」の単位表示画像３３３、「全品１０％ＯＦＦ、果物の画像」の単位表示画像３３４がそれぞれ情報表示画像として表示されている。これらの単位表示画像３３１〜３３４はそれぞれの領域が区別できないように区切り線は表示されず、背景が一連に表示されている。
【００６３】
そして、スクリーン５２１に対応する表示領域３５０は、その左端には、商品「白菜」について、商品名「白菜」、単価「１個２５０円」、「白菜の画像」が１グループの単位表示画像３５１が情報表示画像として表示され、順次商品「とうもろこし、一本１００円、とうもろこしの画像」の単位表示画像３５２、「キャベツ、１個１５０円、キャベツの画像」の単位表示画像３５３、「にんじん、１袋１００円、にんじんの画像」の単位表示画像３５４、「えのき、１袋１００円、えのきの画像」の表示が情報表示画像３５５として表示されている。これらの単位表示画像３５１〜３５５はそれぞれの領域が区別できないように区切り線は表示されず、背景が一連に表示されている。
【００６４】
このひな形において、スクリーン５３２に対応する表示領域３４０に新たな単位表示画像３４１を情報表示画像として追加する。この単位表示画像３４１は、商品「茶」についての製造元「飲料メーカー」、商品名「おいしいお茶」、販売期間「４／１〜４／７限定」、商品の画像、価格「１２５０円」からなる１グループの画像である。
【００６５】
まず、編集背景画像３００の任意の場所で追加する単位表示画像３４１の画像データを作成編集する。
【００６６】
すなわち、画像形成ソフトウェア１６２により、表示コンテンツデータベース１５０から商品の画像データを取得し、入力部１２０のキーボード１２１から商品名、製造元、価格販売価格等のデータを入力して、画像形成ソフトウェア１６２によりこれらのデータを画像データとし、商品の画像データと合成して、新たな単位表示画像３４１の画像データを作成する（ステップＳ２）。
【００６７】
なお、商品画像は表示コンテンツデータベース１５０から取得する他、画像形成ソフトウェア１６２を使用して新たに作成したり、メーカーが作成したものを外部ネットワーク８００経由で取得したりすることができる。また、表示コンテンツデータベース１５０に蓄積しておいた単位表示画像をそのままあるいは変更を加えて表示すべき単位表示画像とすることができる。
【００６８】
そして、このように作成した単位表示画像は、表示コンテンツデータベース１５０に蓄積しておくようにすれば、のちに利用することができる。
【００６９】
次に、その作成した単位表示画像３４１を、ポインティングデバイス１２２でドラッグして編集背景画像３００中の表示領域３４０において、スクリーン５３２における所望する表示場所に対応する表示領域の位置に配置する（ステップＳ３）。この例では、新たな単位表示画像３４１は表示領域３４０の右側に移動されて配置される。そして、表示領域３４０に表示される、右側に単位表示画像が配置された、帯状の情報表示画像の画像データが作成される。
【００７０】
また、新たな単位表示画像をすでに表示されている単位表示画像に変更するときには、古い単位表示画像を消去し、新たな単位表示画像に変更すればよい。また、単位表示
画像は、ある程度拡大と縮小が可能となっており、帯状の表示領域の高さに単位表示画像の高さをフィットさせることが可能である。
【００７１】
この操作を必要に応じて行い（ステップＳ４）、各表示領域３１０，３２０,３３０，３４０,３５０に表示された帯状の情報表示画像に対して、作成した単位表示画像の配置位置を設定する。そして、これらの単位表示画像を、前記プロジェクタ画像の情報表示画像の表示領域に対して、前記情報表示画像位置設定部で設定された配置位置に設定してプロジェクタ画像を作成する。
【００７２】
すなわち、表示領域３１０に設定された単位表示画像を、プロジェクタ画像における陳列棚５００のスクリーン５２３に対応する帯状の表示領域に、情報表示画像位置設定部で設定された配置位置で設定する。表示領域３２０に設定された単位表示画像を、プロジェクタ画像における陳列棚５００のスクリーン５３３に対応する帯状の表示領域に、情報表示画像位置設定部で設定された配置位置で設定する。表示領域３３０に設定された単位表示画像を、プロジェクタ画像における陳列棚５００のスクリーン５２２に対応する帯状の表示領域に、情報表示画像位置設定部で設定された配置位置で設定する。
【００７３】
表示領域３４０に設定された単位表示画像を、プロジェクタ画像における陳列棚５００のスクリーン５３２に対応する帯状の表示領域に、情報表示画像位置設定部で設定された配置位置で設定する。表示領域３５０に設定された単位表示画像を、プロジェクタ画像における陳列棚５００のスクリーン５２１に対応する帯状の表示領域に、情報表示画像位置設定部で設定された配置位置で設定する。
【００７４】
そして、作成したプロジェクタ画像をプロジェクタに転送してプロジェクタでこの画像を表示し（ステップＳ５）一連の処理は終了する。
【００７５】
なお、経時的に発生するタイムサービス等による価格の一時的等な変更に対しては単位表示画像の変更要求に応じて随時単位表示画像の変更及び画像データの転送（Ｓ２〜Ｓ５）を行う。
【００７６】
従って本例によれば、モニタ部に表示される編集背景画像中に陳列棚の各スクリーンに対応した表示領域が表示され、作成した情報表示画像を、前記表示領域における所望する場所に設定できるので、陳列棚の各スクリーンでの表示状態を確認しながら表示画像を作成することができる。従って、陳列棚に設けられたスクリーンの所望の場所に表示される情報表示画像を、容易に作成・編集することができ、かつ、情報表示画像をスクリーンの所望する場所に容易に表示できる。
【００７７】
次に本発明の陳列棚の画像表示制御装置に係る第２の実施の形態について説明する。図８は第２の実施の形態例に係る陳列棚の画像表示制御装置での表示画像の作成状態を示す模式図である。本例では、画像表示制御装置１００の構成は前記第１の例と同一であり、その表示画像の作成の手順も前記第１の例と同一である。本例では、モニタ部１１０に表示される編集背景画像３７０として、スクリーン５２１，５２２，５２３，５３２，５３３が視認できる陳列棚５００の正面外観を模した画像を使用するものとしている。この編集背景画像３７０の画像データは、編集背景画像格納部１３１としての表示コンテンツデータベース１５０に格納されている。陳列棚５００の正面外観を模した画像である編集背景画像３７０は、陳列棚５００の正面外観における外形枠線内に、陳列棚５００のスクリーン５２１，５２２，５２３，５３２，５３３に対応したそれぞれの帯状の表示領域４２０，４００，３８０，４１０，３９０が表示される。
【００７８】
そして、編集背景画像３７０において、各表示領域３８０,３９０，４００,４１０，４２０に配置された情報表示画像は、各スクリーン５２１，５２２，５２３，５３２，５３３に表示される。
【００７９】
従って本例に係る陳列棚の画像表示制御装置によれば、モニタ部に表示される編集背景画像に実際の陳列棚の正面外観を模した画像を表示するようにしたので、実際の陳列棚のスクリーンに情報表示画像が表示された状態を把握でき、より表示効果を考慮した情報表示装置の作成及び配置を行うことができる。
【００８０】
次に本発明の陳列棚の画像表示制御装置に係る第３の実施の形態について説明する。図９は第３の実施の形態例に係る陳列棚の画像表示制御装置での表示画像の作成状態を示す模式図である。本例では、画像表示制御装置１００の構成は前記第１の例と同一である。本例ではモニタ部１１０には、その表示領域４４０に前記第２の実施例と同様に陳列棚５００の正面外観を模した編集背景画像３７０が表示されている他、追加あるいは修正する単位表示画像の候補である複数の画像４５１〜４５４を表示し、これらを選択することができるポップアップ領域あるいは、画面内の一部に固定的に配置された選択画像表示領域４５０を表示することができる。これらの画像４５１〜４５４は、表示コンテンツデータベース１５０又は外部ネットワーク８００から選択して取得することができる。
【００８１】
本例では、選択画像表示領域４５０に表示されている画像中から所定の画像を選択し、その画像をポインティングデバイス１２２で編集背景画像３７０の表示領域３８０、３９０、４００、４１０、４２０における所望の位置に移動して編集するだけで新たな単位表示画像４１１を編集背景画像３７０中に追加することができる。
【００８２】
従って本例に係る陳列棚の画像表示制御装置によれば、単位表示画像の作成・編集と、編集背景画像への単位表示画像の配置をより容易に行うことができる。
【００８３】
次に本発明の陳列棚の画像表示制御装置に係る第４の実施の形態について説明する。図１０は第４の実施の形態例に係る陳列棚の画像表示制御装置の構成を示すブロック図である。本例に係る陳列棚の画像表示制御装置は、画像表示制御装置１００にＰＯＳシステム７００の商品情報データベース７１０を接続して構成している。画像表示制御装置１００の詳細な構成は図３に示したとおりである。
【００８４】
商品情報データベース７１０には、取扱対象である全商品の商品情報や、価格情報が商品コードなどに関連付けられて格納されている。そして、この商品情報データベース７１０は、商品の価格変更、新商品の追加に際してその内容が更新されている。画像表示制御装置１００の情報表示画像作成部１３２が情報表示画像である単位表示画像を作成するに際して、単位表示画像には商品情報や価格情報が含まれているものがある。上述のようにこれらの情報は変動することがあるため、単位表示画像は、変動した情報が反映される必要がある。
【００８５】
本例では、情報表示画像作成部１３２が商品情報や、価格情報が含まれた単位表示画像を作成するときには、商品コードを入力するだけで商品情報データベース７１０を参照して最新の商品情報や価格情報を含めた単位表示画像を作成する。
【００８６】
従って本例によれば、情報表示画像は、常に商品情報データベース７１０の最新の商品情報、商品価格に基づいて作成されるから、正確な情報表示画像を作成することができる。
【図面の簡単な説明】
【００８７】
【図１】実施例に係る陳列棚を画像表示制御装置と共に示す陳列棚の概略断面図である。
【図２】図１中のＡ−Ａ線に相当する陳列棚の断面図である。
【図３】画像表示制御装置の構成を示すブロック図である。
【図４】表示制御部のハードウェア構成を示すブロック図である。
【図５】表示制御部の仕組みを例示する模式図である。
【図６】陳列棚の表示画像の作成状態を示す模式図である。
【図７】画像表示制御装置における表示画像の作成手順を示すフローチャートである。
【図８】第２の実施の形態例に係る陳列棚の画像表示制御装置での表示画像の作成状態を示す模式図である。
【図９】第３の実施の形態例に係る陳列棚の画像表示制御装置での表示画像の作成状態を示す模式図である。
【図１０】第４の実施の形態例に係る陳列棚の画像表示制御装置の構成を示すブロック図である。
【符号の説明】
【００８８】
１００  画像表示制御装置、１１０  モニタ部、１２０  入力部、１３０  表示制御部、１３１  編集背景画像格納部、１３２  情報表示画像作成部、１３３  情報表示画像位置設定部、１３４  プロジェクタ画像作成部、１５０  表示コンテンツデータベース（情報表示画像データベース）
【図１】
2008173452.tif 000003
【図２】
2008173452.tif 000004
【図３】
2008173452.tif 000005
【図４】
2008173452.tif 000006
【図５】
2008173452.tif 000007
【図６】
2008173452.tif 000008
【図７】
2008173452.tif 000009
【図８】
2008173452.tif 000010
【図９】
2008173452.tif 000011
【図１０】
2008173452.tif 000012